(57)【要約】【課題】薄型構造が容易な電気化学セルを提供する。【解決手段】非水電解質二次電池１１０は、正極および負極を有し、１対の電極端子１３を有する電極体１１と、シートを重ね合わせて形成され、前記電極体１１を収納する外装体２１と、を備え、前記外装体２１は、前記シートの間に前記電極体１１を収納した収納部２３と、前記収納部２３の周囲において前記シートの３辺を密着させた周縁部２９と、を有し、前記周縁部２９の少なくとも一部は、前記周縁部上で前記収納部方向に折り返されて折り返し部３０ａ、３０ｂを形成し、前記折り返し部３０は、前記収納部２３の厚みより薄くなっており、前記収納部２３は、前記電極体１１から見て外側の方向に凸部を有し、前記折り返し部３０ａ、３０ｂは前記凸部側に折り返されることを特徴とする。【選択図】図１
2015153694.tif 000002
【特許請求の範囲】
【請求項１】
正極および負極を有し、１対の電極端子を有する電極体と、
シートを重ね合わせて形成され、前記電極体を収納する外装体と、を備え、
前記外装体は、
前記シートの間に前記電極体を収納した収納部と、
前記収納部の周囲において前記シートの３辺を密着させた周縁部と、
を有し、
前記周縁部の少なくとも一部は、前記周縁部上で前記収納部方向に折り返されて折り返し部を形成し、
前記折り返し部は、前記収納部の厚みより薄くなっており、
前記収納部は、前記電極体から見て外側の方向に凸部を有し、
前記折り返し部は前記凸部側に折り返されることを特徴とする電気化学セル。
【請求項２】
前記周縁部のうち、前記電極端子を出していない２辺の前記周縁部が交差する箇所に切り欠き部を設けることを特徴とする請求項１に記載の電気化学セル。
【請求項３】
前記折り返し部が、再熱融着されていることを特徴とする請求項１または２に記載の電気化学セル。
【請求項４】
前記周縁部はシートの金属箔が露出した最端部を有し、前記最端部は絶縁テープで被覆されていることを特徴とする請求項１から３のいずれか一項に記載の電気化学セル。
【請求項５】
前記収納部の厚さが３ｍｍ以下であることを特徴とする請求項１から４のいずれか一項に記載の電気化学セル。
【発明の詳細な説明】
【技術分野】
【０００１】
本発明は、電気化学セルに関するものである。
【背景技術】
【０００２】
現在、電気化学セルは、各種デバイスの電源などに利用されている。電気化学セルの１つの形態として、例えば下記特許文献１および特許文献２のようなラミネートフィルム外装体からなる電池が提案されている。
【０００３】
特許文献１においては、外装体の周縁部を折り返し、接着テープ貼り付けることにより、電池本体の外形寸法を小さくしている。また、特許文献２においては、接着性を有する絶縁テープを用いてラミネートフィルム端面を保護することで、ラミネートフィルム端面に露出した金属箔が電池負極と短絡して腐食を起こす現象を防止している。
【０００４】
さらに、図７を用いて従来例の概要を説明する。図７は、従来例の薄型の電気化学セルの概略図であり、（ａ）は平面図、（ｂ）は、第１直線２５での断面図である。
従来例では、図７に示す電極体１１の一対の側辺に近接する外装体２１の周縁部２９がある。周縁部２９のラミネートフィルム端面に露出した金属箔を被覆するために、２枚の絶縁テープ４１が貼り付けられている。絶縁テープ４１は、断面図（ｂ）に示すようにコの字形に貼られていることが多い。
【先行技術文献】
【特許文献】
【０００５】
【特許文献１】特開２００１−２５０５１６号公報
【特許文献２】特開２００５−１９７２１８号公報
【発明の概要】
【発明が解決しようとする課題】
【０００６】
上述のような電気化学セルは、近年、電気化学セルを搭載する機器の薄型化により、より薄型の電気化学セルの要望が高まっているが、図７に示す周縁部の構造となっているため、面積的に小さく出来ない。
【０００７】
周縁部自体の面積を小さくすると、封止性が低下し、電気化学セル内への水分進入などにより性能が劣化することがある。そのため、周縁部の幅として３ｍｍ程度確保する必要がある。また、周縁部を図７の厚み方向に折り曲げる方法があるが、電極体を収納した収納部における厚さが３ｍｍ以下の電気化学セルの場合、セルの厚さ以上に折り返した周縁部が飛び出すことになり、外形寸法を薄型とすることが出来ないという課題があった。
そこで本発明は、薄型構造が容易な電気化学セルを提供するものである。
【課題を解決するための手段】
【０００８】
上記の課題を解決するために、本発明の電気化学セルは、正極および負極を有し、１対の電極端子を有する電極体と、シートを重ね合わせて形成され、前記電極体を収納する外装体と、を備え、前記外装体は、前記シートの間に前記電極体を収納した収納部と、前記収納部の周囲において前記シートの３辺を密着させた周縁部と、を有し、前記周縁部の少なくとも一部は、前記周縁部上で前記収納部方向に折り返されて折り返し部を形成し、    前記折り返し部は、前記収納部の厚みより薄くなっており、前記収納部は、前記電極体から見て外側の方向に凸部を有し、前記折り返し部は前記凸部側に折り返されることを特徴とする。
この構成によれば、周縁部は、収納部方向に折り返されるため、電気化学セルの面積および外形寸法は小さくなる。また、折り返し部を特に凸部側に折り返し収納部より薄くすれば、折り返し部の厚みにより電気化学セルの厚みが増すことが無いため、結果として、薄型の電気化学セルを提供できる。
【０００９】
さらに本発明の電気化学セルは、前記周縁部のうち、前記電極端子を出していない２辺の前記周縁部が交差する箇所に切り欠き部を設けることを特徴とする。
この構成によれば、当該箇所のみ、シートが過剰に重なることがなく、薄型構造を確保できるため、結果として、薄型の電気化学セルを提供できる。
【００１０】
さらに本発明の電気化学セルは、前記折り返し部が、再熱融着されていることを特徴とする。
この構成によれば、熱融着により硬化した樹脂層において、折り曲げにより生じた白化部が再熱融着により再融解するため、白化部の微小なクラックが解消される。そのため、樹脂層の微小なクラックをパスとする外部からの水分の侵入や、電解液の漏れなどを抑制できる。また、樹脂層の微小なクラックをパスとして金属箔が電解液と接触することにより生じる合金化反応を抑制できる。したがって、耐久性の高い電気化学セルを得ることができる。また、再熱融着時の加圧により、再融解した樹脂部がつぶれ、折り返し部の厚さを薄く出来るため、結果として、薄型の電気化学セルを提供できる。
【００１１】
さらに本発明の電気化学セルは、前記周縁部はシートの金属箔が露出した最端部を有し、前記最端部は絶縁テープで被覆されていることを特徴とする。
この構成によれば、最端部が被覆され、他の導電部との短絡をよりなくすことができる。また、折り返し部の開きを抑える役割も果たすため、電気化学セルを薄型に保つことも可能であるため、結果として、薄型の電気化学セルを提供できる。
【００１２】
さらに本発明の電気化学セルは、前記収納部の厚さが３ｍｍ以下であることを特徴とする。
この構成によれば、封止性を確保しつつ、薄型の電気化学セルを提供することできる。
【発明の効果】
【００１３】
本発明の電気化学セルによれば、周縁部は、電極体側に折り返されるため、電気化学セルの面積は小さくなる。また、周縁部の端部を電極体にかからない位置とすれば、収納部の高さより高くなることがなく、結果として、薄型の電気化学セルを提供できる。また、周縁部の端部となるラミネートフィルム端面に金属箔が露出しない状態とすることもできるため、信頼性の高い電気化学セルを得ることができる。
【図面の簡単な説明】
【００１４】
【図１】第１実施形態の電気化学セルの概略図であり、（ａ）は平面図、（ｂ）は断面図である。
【図２】第１実施形態の電気化学セルの概略図であり、（ａ）は平面図、（ｂ）は断面図である。
【図３】第２実施形態の電気化学セルの概略図であり、（ａ）は平面図、（ｂ）は断面図、（ｃ）は、周縁部を折り返す前の平面図である。
【図４】第２実施形態の電気化学セルの概略図であり、（ａ）は平面図、（ｂ）は断面図である。
【図５】第２実施形態の電気化学セルの概略図であり、（ａ）は平面図、（ｂ）は断面図である。
【図６】第３実施形態の電気化学セルの概略図であり、（ａ）は平面図、（ｂ）は断面図、（ｃ）は、周縁部を折り返す前の平面図である。
【図７】従来例の電気化学セルの概略図である。
【発明を実施するための形態】
【００１５】
以下、本発明の実施形態を図面に基づいて説明する。なお、以下の説明で用いる図面では、わかりやすくするために便宜上、絶縁テープ、再熱融着部にハッチングを付している。
【００１６】
（第１実施形態）
最初に、第１実施形態の電気化学セルについて説明する。
図１は、第１実施形態の電気化学セルの概略図である。図１において、（ａ）は平面図、（ｂ）は、第一直線２５で切った場合を仮定した断面図である。本実施形態は、電気化学セルとして、非水電解質二次電池１１０を例に挙げて説明する。
【００１７】
図１に示すように、非水電解質二次電池１１０は、正極および負極を有する電極体１１と、ラミネートフィルムなどからなる外装体のシートを重ね合わせて形成され、電極体１１を収納する外装体２１と、を備える。外装体２１は、シートの間に電極体１１を収納した収納部２３と、収納部２３の周囲においてシートを熱融着させた周縁部２９と、を有する。
【００１８】
収納部２３は、前記シートのうち一方のシートを重ね合わせ方向から見て矩形状に、電極体から見て外側の方向に形成される。また、収納部２３には電極体１１を収納する凸部が一方に形成されていてもよい。また、シートが重ね合わされた周縁部２９は、電極体１１側に折り返され、折り返し部３０ａ、折り返し部３０ｂを構成する。この折り返し部３０ａ及び折り返し部３０ｂは、さらに凸部側に折り返されることが好ましい。
【００１９】
電極体１１は、セパレータを介して互いに積層された正極および負極を含み、正極および負極は、電解液などの非水電解質に接している。また、電極体１１は、収納部２３から外装体２１の外部に引き出された１対の電極端子１３を有する。電極端子１３は、電極体１１の先端辺において一定の間隔で配置され、外装体２１の内部にて電極体１１の正極および負極とそれぞれ電気的に接続されており、周縁部２９と交差して外装体２１の外部へ導出されている。
【００２０】
電極体１１の正極は、例えば、アルミニウムなどの金属箔の集電体に正極活物質を付着させたものである。正極活物質は、例えば、コバルト酸リチウム、チタン酸リチウムやマンガン酸リチウムなどのように、リチウムと遷移金属とを含む複酸化物である。負極は、銅などの金属箔の集電体に負極活物質を付着させたものである。負極活物質は、例えば、シリコン酸化物、グラファイト、ハードカーボン、チタン酸リチウム、ＬｉＡｌ等である。
【００２１】
セパレータは、リチウムイオンを通す特性を有する。セパレータは、例えば、樹脂ポーラスフィルム、ガラス製不織布、樹脂製不織布の１つ、または２以上の組み合わせを含む。この電極体１１は、正極と負極の一方から他方へリチウムイオンが移動することにより、電荷を蓄積（充電）したり電荷を放出（放電）したりすることができる。
【００２２】
外装体２１は、電極体１１の厚み方向から見た外形が概ね矩形状である。外装体２１は、矩形状のシートを重ね合わせて形成されている。本実施形態では、外装体２１は１枚の矩形状のシートの第１シート部と第２シート部との間を二つ折りにして、その折り目を除く３辺に沿って第１シート部と第２シート部とを熱融着することで形成されている。
【００２３】
シートはラミネートフィルムであり、、金属箔と、金属箔の内側面に設けられた樹脂層と、金属箔の外側面に設けられた保護層と、を有する。金属箔は、例えばアルミニウムなどの水分や酸素を遮断する金属材料を用いて形成されている。樹脂層は、例えば、ポリエチレンやポリプロピレン、アイオノマー、エチレン‐メタクリレート共重合樹脂などの熱可塑性樹脂を用いて形成される。保護層は、例えばポリエチレンテレフタレートなどのポリエステル樹脂、あるいはナイロン樹脂を用いて形成される。外装体２１は、樹脂層同士が接触するようにシートを重ね合わせて形成される。また、シートは、裁断などにより矩形状に形成されるため、その端部は金属箔の断面が露出した状態になっている。
【００２４】
図１に示すように、外装体２１は、シートの間に電極体１１を収納した収納部２３を有する。
収納部２３は、シートの重ね合わせ方向から見て矩形状に形成され、電極体１１の一つの辺がシートの折り目（図１においては、外装体１１の周縁部２９のない部分）に略一致するように配置されている。
【００２５】
収納部２３は、プレス成形等により、電極体１１を収容するための凸部を形成されることが好ましい。だが、電極体が、比較的薄い場合は、必ずしもプレス成形する必要はない。重ねあわせたシートの１面にたわみを持たせ、もう一面に張力を持たせたまま熱融着する等して、片面に平面部、もう片面に凸部を形成してもよい。なお、片面が完全な平面にならなかった場合は、周縁部２９からの凸が大きいほうを凸部として扱う。
【００２６】
図１に示すように、外装体２１は、収納部２３の周囲においてシートを重ね合わせた周縁部２９を有する。
周縁部２９は、電極端子１３が引き出される第１辺と、第１辺と交差する第２辺、さらに、第２辺と交差する第３辺と、を有する。また、周縁部２９は、収納部２３の周囲を密封するようにシートが熱融着された状態となっており、重ね合わせたシートの樹脂層同士を融点程度まで加熱することで形成される。  熱融着は、ヒーターにより過熱された加熱プレスにて行われる。本実施形態では、まず、外装体２１を平板状のステージ部材に載置し、ステージ部材と所定の温度に加熱したヒーターとで外装体２１の周縁部２９を挟み込んで、第１辺と対向する第３辺を熱融着する。こうすることで、周縁部２９の第２辺を開口とする袋状の外装体２１を形成する。そして、この開口からシートの内側に電解液を注入した後に、熱融着していない周縁部２９の第２辺を熱融着することで、収納部２３を密封する。なお、樹脂層が例えばポリプロピレンで形成された場合、ポリプロピレンの融点は一般に１２０度から１４０度であるため、ヒーターの温度は１５０度程度であることが望ましい。
【００２７】
次に、図１（ａ）に示すように、周縁部２９の第３辺を中間部から折り返し、折り返し部３０ｂを形成する。さらに周縁部２９の第２辺を中間部から折り返し、折り返し部３０ａを形成する。
【００２８】
図１（ｂ）に示すように、折り返し部３０ａを周縁部２９上に設け、収納部２３の手前にすることにより、折り返し部３０ａが収納部２３に乗り上げて電気化学セル１１０の厚さを増加させることはなくなる。
これらの構成により、外装体２１の面積を小さくすることができる効果がある。
【００２９】
周縁部２９の端部の折り返す前は、シートの金属箔が露出した状態であり他の導電部との短絡の危険があった。しかし、本実施例に示すように折り返し部を形成することにより、他の導電部との短絡の確率を下げることが出来る。
【００３０】
また、図２は周縁部に絶縁テープを貼った場合を示した第１実施形態の電気化学セルの概略図である。図２において、（ａ）は平面図、（ｂ）は、第一直線２５で切った場合を仮定した断面図である。図２（ａ）に示すように、折り返された周縁部２９の端部である折り返し部３０ａ、折り返し部３０ｂは、絶縁テープ４１で被覆されてもよい。これにより、周縁部２９の第２辺、第３辺の端部のシートの金属箔が露出した部分（最端部）が被覆され、他の導電部との短絡をよりなくすことができる。また、折り返し部の開きを抑える役割も果たすため、電気化学セルを薄型に保つことも可能である。
この絶縁テープ４１は、電気絶縁性に優れ、高強度を有する点で、例えばポリイミドテープが好適である。
【００３１】
このように、本実施形態の非水電解質二次電池１１０は、正極および負極を有する電極体１１と、シートを重ね合わせて形成され、電極体１１を収納する外装体２１と、を備える。外装体２１は、シートの間に電極体１１を収納した収納部２３と、収納部２３の周囲においてシートを密着させた周縁部２９と、を有する。周縁部２９の少なくとも一部は、収納部２３方向へ折り返されており、必要に応じ絶縁テープ４１で被覆されている、ことを特徴とする。
本実施形態によれば、電気化学セル１１０の面積を小さくでき、外部との短絡を防止することができるため、小形で、高信頼性の非水電解質二次電池を得ることができる。
【００３２】
（第２実施形態）
次に第２実施形態の電気化学セルについて説明する。
図３、図４及び図５は、第２実施形態の電気化学セルの概略図である。図３において、（ａ）は平面図、（ｂ）は、第一直線２５で切った場合を仮定した断面図、（ｃ）は周縁部を折り返す前の平面図である。図４は、周縁部に絶縁テープを貼った場合を示しており、（ａ）は平面図、（ｂ）は、第一直線２５で切った場合を仮定した断面図である。図５は、周縁部を加熱し、再溶着部を形成した場合の概略図であり、（ａ）は平面図、（ｂ）は、第一直線２５で切った場合を仮定した断面図である。
【００３３】
第２実施形態の電気化学セルは、図３（ｃ）に示したように、折り返す前の周縁部に切り欠きを設けた点、図５に示したように折り返し部を再加熱した点が、第１実施形態と異なっている。なお、第１実施形態と同様の構成となる部分については、詳細な説明を省略する。
【００３４】
まず、図３（ｃ）に周縁部２９を折り返す前の平面図を示した。周縁部の図中、右下となる周縁部の交差部に切り欠き部３２を設けた。第１折り返し線２７ａ、２７ｂから折り返すことにより、図３（ａ）の折り返し部３０ａ、３０ｂを形成した。切り欠き部３２により、図３（ａ）の右下の部分は、折り返し部３０ａ、３０ｂが重ならない。そのため、当該箇所のみ、シートが過剰に重なることがなく、薄型構造を確保できた。
【００３５】
次に、図４（ａ）に示すように、折り返された周縁部２９の端部を、絶縁テープ４１で被覆した。これにより、周縁部２９の第２辺、第３辺の端部のシートの金属箔が露出した部分は、被覆されたことになり、他の導電部との短絡をより確実になくすことができる。
【００３６】
図５（ａ）および（ｂ）に示すように、第一の加熱を行い、熱融着により封止した後、折り返し部３０ａ、３０ｂを形成し、さらにその後当該箇所に対して第二の加熱を行い、再熱溶着部４４を形成した。第一の加熱で硬化した樹脂層において、折り返し部３０ａ、３０ｂを形成するための折り曲げにより生じた白化部が、第二の加熱による再熱融着により再融解するため、白化部の微小なクラックが解消される。そのため、樹脂層の微小なクラックをパスとする外部からの水分の侵入や、電解液の漏れなどを抑制できる。また、樹脂層の微小なクラックをパスとして金属箔が電解液と接触することにより生じる合金化反応を抑制できる。したがって、耐久性の高い電気化学セルを得ることができる。
また、第二の加熱の際、折り返し部３０ａ、３０ｂを挟み込み、加圧することにより、折り返し部の厚さを薄く出来る。さらに、折り返し部の形状保持にも効果がある。
【００３７】
このように、本実施形態における非水電解質二次電池２１０は、折り返し部形成による厚さの増加や作業性の低下を改善することを特徴とする。また、折り返し部を再熱融着することにより、信頼性を向上した電気化学セルを得ることができる。
【００３８】
なお、切り欠き部３２の形状は特に限定されるものではなく、周縁部の図中、右下となる周縁部の交差部の重なりが、切り欠き部を設けない場合より重なり数が少なくなる形状であればよい。切り欠き部を設ける前の電気化学セルの形状を矩形とすると、図３（ｃ）の切り欠き部３２を設けるためには、周縁部の図中、右下となる周縁部の交差部を直角三角形に切り取る必要がある。この切り取る形状は、矩形としても、扇形としてもよく特に限定されるものではない、切り欠き部を設けない場合の最大４重の折り返しが、それ以下となればよい。
【００３９】
（第３実施形態）
次に第３実施形態の電気化学セルについて説明する。
図６は、第３実施形態の電気化学セルの概略図であり、（ａ）は平面図、（ｂ）は、第一直線２５で切った場合を仮定した断面図、（ｃ）は、周縁部を折り返す前の平面図である。図６に示す第３実施形態では、折り返し部が多重になっている点で、第１実施形態および第２実施形態とは異なっている。なお、第１実施形態および第２実施形態と同様の構成となる部分については、詳細な説明を省略する。
【００４０】
図６（ｃ）に周縁部２９を折り返す前の平面図を示した。周縁部の図中、右下となる周縁部の交差部に切り欠き部３２を設けた。第２折り返し線２８ａ、２８ｂから折り返し、
さらに第１折り返し線２７ａ、２７ｂから折り返すことにより、図６（ａ）の折り返し部３０ａ、３０ｂを形成した。
【００４１】
これにより、周縁部２９の第２辺、第３辺の端部のシートの金属箔が露出した部分は、シート表面の保護層と近接し被覆されたことになり、他の導電部との短絡をより確実になくすことができる。そのため、絶縁テープを削減することができる。また、この場合、折り返し部の厚みは、外装体２１を含めた収納部２３の厚みよりも薄ければ、何重に折り返してもよい。また、周縁部２９を多重に折り返ししているため、第一実施形態及び第二実施形態と比較して折り返し部がやや厚くなるため、図５で示した再溶着部を形成することは有効である。
【００４２】
このように、本実施形態における非水電解質二次電池３１０は、折り返し部形成による厚さ増を改善することを特徴とする。また、絶縁テープを削減できるため、コスト的に優位な電気化学セルを得ることができる。
【００４３】
また、シートを熱融着して封止を行う電気化学セルの場合、周縁部自体の面積を小さくすると、封止性が低下し、電気化学セル内への水分進入などにより性能が劣化することがある。そのため、周縁部の幅として３ｍｍ程度は確保する必要がある。厚さが３ｍｍ以下の電気化学セルの場合は、従来のように周縁部を厚み方向に折り曲げると、電気化学セルよりはみ出すことになり、外形寸法を薄型とすることが出来ないという課題があった。そのため、本発明は、電極体を収納した収納部における厚さが３ｍｍ以下の電気化学セルの場合に、特に有効であり、封止性を確保しつつ、薄型の電気化学セルを提供することできる。
【００４４】
また、３辺の周縁部のうち少なくとも一つを折り返せば、面積削減の効果があるが、電極端子が出ていない２つを折り返せばより、面積を削減した電気化学セルが提供できるためより有効である。
【００４５】
なお、この発明は上述した実施形態に限られるものではない。
例えば、上記実施形態においては、電気化学セルの一例として、非水電解質二次電池を例に挙げて説明したが、電気二重層キャパシタや一次電池であってもよい。
【符号の説明】
【００４６】
１１０、２１０、３１０…非水電解質二次電池（電気化学セル）
１１…電極体
１３…電極端子
２１…外装体
２３…収納部
２５…第１直線
２７ａ、２７ｂ…第１折り返し線
２８ａ、２８ｂ…第２折り返し線
２９…周縁部
３０ａ、３０ｂ…折り返し部
３２…切り欠き部
４１ａ、４１ｂ…絶縁テープ
４４…再熱融着部
【図１】
2015153694.tif 000003
【図２】
2015153694.tif 000004
【図３】
2015153694.tif 000005
【図４】
2015153694.tif 000006
【図５】
2015153694.tif 000007
【図６】
2015153694.tif 000008
【図７】
2015153694.tif 000009